(57)【要約】      （修正有）【課題】携帯時に飲料容器が収納容器の開口部に衝突してガタガタ音がしないようにした飲料容器用収納容器を提供する。【解決手段】有底筒形の収納容器本体６と、収納容器本体６の上部に着脱自在に螺合可能な蓋部材７とを有し、上部に漏斗状の肩部４を有するペットボトル１を収納可能な飲料容器用収納容器５とする。蓋部材７は、ペットボトル１の肩部４の途中箇所を挿通自在な開口部１１が上端に設けられており、開口部１１からペットボトル１の肩部４の途中箇所から上方が外部に突出するようになっている。開口部１１の内周側に、ペットボトル１の肩部４の途中箇所の外周に当接するリング状の弾性部材１２が設けられている。【選択図】図２
0003230442.tif 000002
【実用新案登録請求の範囲】
【請求項１】
有底筒形の収納容器本体と、収納容器本体の上部に着脱自在に螺合可能な蓋部材とを有し、上部に漏斗状の肩部を有する飲料容器を収納可能な飲料容器用収納容器であって、
蓋部材は、飲料容器の肩部の途中箇所を挿通自在な開口部が上端に設けられており、
開口部から飲料容器の肩部の途中箇所から上方が外部に突出するようになっており、
開口部の内周側に、飲料容器の肩部の途中箇所の外周に当接するリング状の弾性部材が設けられていること、
を特徴とする飲料容器用収納容器。
【考案の詳細な説明】
【技術分野】
【０００１】
本考案は飲料容器用収納容器に係り、とくにペットボトルなどの保温性の低い飲料容器を収納して、保温性を高めるようにした飲料容器用収納容器に関する。
【背景技術】
【０００２】
ジュース、お茶等の各種飲料はペットボトルに入れて販売されているが、保温性が低い欠点がある。このため、従来から、ペットボトル等の飲料容器を飲料容器用収納容器に収納して保温性を高めるようにしている。例えば、特開２００１−１５８４８１のペットボトル収納容器は、ペットボトルを内部に収納する有底筒形の容器本体の上部が漏斗状に窄まり、上端にペットボトルの先端部が突出する開口部を設けた構成を有している。
【０００３】
ところが、上記したペットボトル収納容器では、手に持ったり、リュックに入れて携帯したとき、ペットボトルの上部が半径方向に振れて開口部に衝突し、ガタガタ音がする問題があった。
【考案の概要】
【考案が解決しようとする課題】
【０００４】
本考案は上記した従来技術の問題に鑑み、携帯時に飲料容器が収納容器の開口部に衝突してガタガタ音がしないようにした飲料容器用収納容器を提供することを、その目的とする。
【課題を解決するための手段】
【０００５】
請求項１記載の考案では、
有底筒形の収納容器本体と、収納容器本体の上部に着脱自在に螺合可能な蓋部材とを有し、上部に漏斗状の肩部を有する飲料容器を収納可能な飲料容器用収納容器であって、
蓋部材は、飲料容器の肩部の途中箇所を挿通自在な開口部が上端に設けられており、
開口部から飲料容器の肩部の途中箇所から上方が外部に突出するようになっており、
開口部の内周側に、飲料容器の肩部の外周に当接するリング状の弾性部材が設けられていること、
を特徴としている。
【考案の効果】
【０００６】
本考案によれば飲料容器を収納した収納容器本体に蓋部材を螺合していくと、開口部に設けたリング状の弾性部材が飲料容器の肩部の途中箇所の外周に当接するので、携帯時に飲料容器用収納容器全体が揺さぶられても、リング状の弾性部材が肩部の途中箇所の外周に当接しているので、収納容器に対する飲料容器のガタつきが抑制されるとともに、肩部が開口部に与える衝撃力が緩和されてガタガタ音を発することが無くなる。
【図面の簡単な説明】
【０００７】
【図１】本考案の一実施例に係る飲料容器用収納容器の使用状態を示す外観斜視図である。
【図２】飲料容器用収納容器の断面図である。
【図３】図２の部分拡大図である。
【図４】飲料容器用収納容器の使用方法を説明する斜視図である。
【図５】飲料容器用収納容器の使用方法を説明する断面図である。
【図６】飲料容器用収納容器の使用方法を説明する断面図である。
【考案を実施するための最良の形態】
【０００８】
以下、本考案の最良の形態を実施例に基づき説明する。
【実施例１】
【０００９】
図１と図２を参照して本考案の一実施例を説明する。図１は本考案に係る飲料容器用収納容器の使用状態を示す外観斜視図、図２は図１の断面図である。
図１、図２において、１は上部に漏斗状の肩部を有する飲料容器の一例としてのペットボトルであり、上端部にキャップ２の装着された口部（図示せず）、口部の下に首部３、首部３の下に漏斗状の肩部４を有している。５は内部に収納したペットボトル１の保温性と携帯性を高めるための飲料容器用収納容器である。飲料容器用収納容器５は、有底筒形で金属製の収納容器本体６と、収納容器本体６の上部外周に着脱自在に螺合可能なお椀形の蓋部材７とを有している。
【００１０】
収納容器本体６の上部外周に雄ねじ部８が形成されており、蓋部材７の下部内周に雄ねじ部８と螺合可能な雌ねじ部９が形成されている。雄ねじ部８に対し雌ねじ部９を上から下へ螺進させることにより、蓋部材７を収納容器本体６に装着することができ、反対に装着状態から雄ねじ部８に対し雌ねじ部９を下から上へ螺退させることにより、収納容器本体６から蓋部材７を取り外すことができる。蓋部材７の上端部にはＵ字状の取っ手１０が装着されている。
【００１１】
蓋部材７は、上端にペットボトル１の肩部４の途中箇所を挿通自在な開口部１１が設けられており、蓋部材７を収納容器本体６に装着した状態で、開口部１１からペットボトル１の肩部４の途中箇所から上方が外部に突出するようになっている。開口部１０の内周側にはペットボトル１の肩部４の途中箇所の外周に当接するリング状の弾性部材１２が装着されている。弾性部材１２はゴム、合成ゴム、軟質プラスチック樹脂等の材質から成る。
【００１２】
次に、図３乃至図６を参照して上記した実施例の作用を説明する。
収納容器本体６と蓋部材７が分離した状態で、収納容器本体６にペットボトル１を収納する。そして、ペットボトル１の上から蓋部材７を被せていく（図４参照）。そして、蓋部材７の雌ねじ部９を収納容器本体６の雄ねじ部８に螺合して下方へ螺進していく。弾性部材１２がペットボトル１の肩部４の途中箇所の外周に当接したところで、螺進を止める（図１、図２参照）。
すると、収納容器本体６に蓋部材７が装着された状態となり、ペットボトル１の外側の大部分が飲料容器用収納容器５に収納された状態となり、保温性が高くなる。また、飲料容器用収納容器５を取っ手１０を持って携帯できるので、携帯性も向上する。
【００１３】
また、収納容器本体６に蓋部材７を装着すると、開口部１０に設けた弾性部材１２がペットボトル１の漏斗状の肩部４の途中箇所に当接するので（図３参照）、携帯時に飲料容器用収納容器５の全体が揺さぶられても、飲料容器用収納容器５に対するペットボトル１のガタつきが抑制されるとともに、漏斗状の肩部４が開口部１０に与える衝撃力が緩和されてガタガタ音を発することが無くなる。
【００１４】
なお、図５、図６に示す如く、図１のペットボトル１とは肩部４Ａ、４Ｂの形状や高さが異なるペットボトル１Ａ、１Ｂに対しても、収納容器本体６に対する蓋部材７の螺合による装着位置を変えるだけで、肩部４Ａ、４Ｂの途中箇所の外周にリング状の弾性部材１２を当接させることができるので、図１のペットボトル１に対するのと同様に、ペットボトル１Ａ、１Ｂのガタつきが抑制されるとともに、漏斗状の肩部４Ａ、４Ｂが開口部１１に与える衝撃力を緩和させてガタガタ音を発生しないようにできる。
【００１５】
この実施例によれば、ペットボトル１を収納した収納容器本体６に蓋部材７を螺合していくと、開口部１１に設けたリング状の弾性部材１２がペットボトル１（１Ａ、１Ｂ）の肩部４（４Ａ、４Ｂ）の外周に当接するので、携帯時に飲料容器用収納容器５の全体が揺さぶられても、リング状の弾性部材１２が漏斗状の肩部４（４Ａ、４Ｂ）の途中箇所の外周に当接しているので、飲料容器用収納容器５に対するペットボトル１（１Ａ、１Ｂ）のガタつきが抑制されるとともに、漏斗状の肩部４（４Ａ、４Ｂ）が開口部１１に与える衝撃力が緩和されてガタガタ音を発することが無くなる。
【００１６】
なお、上記した実施例では、飲料容器としてペットボトルを例に挙げて説明したが、他の種類の飲料容器であっても良い。また、蓋部材の取っ手は省略しても良い。
【産業上の利用可能性】
【００１７】
この考案は、ペットボトルなどの飲料容器の高めるための収納容器に適用可能である。
【符号の説明】
【００１８】
１  ペットボトル
４  漏斗状の肩部
５  飲料容器用収納容器
６  収納容器本体
７  蓋部材
８  雄ねじ部
９  雌ねじ部
１１  開口部
１２  リング状の弾性部材
【図１】
0003230442.tif 000003
【図２】
0003230442.tif 000004
【図３】
0003230442.tif 000005
【図４】
0003230442.tif 000006
【図５】
0003230442.tif 000007
【図６】
0003230442.tif 000008